【事件の表示】
　特願２０００−　　７３１２「フォトブースシステム及びフォトブースにおける写真撮影方法」拒絶査定不服審判事件〔平成１２年　９月　８日出願公開、特開２０００−２４４８５８〕について、次のとおり審決する。
【結　論】
　本件審判の請求は、成り立たない。
【理　由】
１．手続の経緯
　本願は、平成１０年２月９日の出願（優先権主張　平成９年２月１８日　日本（ＪＰ））の分割出願であって、平成１５年４月３日付けで拒絶査定がなされ、これに対し、同年５月１６日付けで拒絶査定に対する審判請求がなされるとともに、同年５月１６日付けで手続補正がなされたものである。
　
２．平成１５年５月１６日付けの手続補正についての補正却下の決定
[補正却下の決定の結論]
　平成１５年５月１６日付けの手続補正を却下する。
[理由]
（１）補正後の本願発明
　本件補正により、特許請求の範囲の請求項１は、
「【請求項１】　被写体を撮影するカメラと、電子データとして予め記憶されたフレーム絵柄とを記憶した記憶装置と、前記カメラで撮影した映像と前記フレーム絵柄とを合成した映像を表示するディスプレーと、前記合成した映像を印刷するプリンタとをハウジングに備え、システムＲＯＭのプログラムによって、使用者がディスプレーの案内画面を見ながらオペレータなしで、写真撮影を行うような自立型フォトブースにおける写真撮影方法であって、
前記ディスプレーにデモンストレーション画面を表示するステップと、
所定の金銭の投入を条件として、交換可能な前記記憶装置に記憶された複数の代表フレーム絵柄から生成される選択画面を前記ディスプレーに表示するステップと、
前記選択画面を見ながら所望のフレーム絵柄を選択させるステップと、
選択されたフレーム絵柄と前記カメラで撮影した被写体の映像とを合成した合成映像を前記ディスプレーに表示するステップと、
前記合成映像を前記プリンタにより被印刷物に印刷するステップとからなリ、
前記システムＲＯＭの交換なしに、前記記憶装置を交換することによって前記フレーム絵柄を交換可能とすることを特徴とするフォトブースにおける写真撮影方法。」と補正された。
　上記補正は、請求項１に記載した発明を特定するために必要な事項である「写真撮影方法」について「システムＲＯＭのプログラムによって」「前記システムＲＯＭの交換なしに、前記記憶装置を交換することによって前記フレーム絵柄を交換可能とすることを特徴とする」との限定を付加するものであって、特許法第１７条の２第４項第２号の特許請求の範囲の減縮を目的とするものに該当する。
　そこで、本件補正後の前記請求項１に記載された発明（以下、「本願補正発明」という）が特許出願の際独立して特許を受けることができるものであるか（平成１５年法改正前特許法第１７条の２第５項において準用する同法第１２６条第４項の規定に適合するか）について以下に検討する。
　
（２）刊行物
　原審拒絶理由で引用された、本願の出願日前である平成７年１１月１０日に頒布された「特開平７−２９８１２３号公報」（以下、「刊行物１」という）は、「画像印刷装置」に関するものであって、その公報には次の事項が記載されている。
（ア）「この発明は、人の顔の画像と背景の画像とを合成し印刷する画像印刷装置に関する。」（段落【０００１】）
（イ）「請求項２記載の発明は、被撮影者の顔部の画像を受像し第１の画像データを作成するビデオカメラと、人物画および背景画を含むとともに前記人物画の少なくとも１つは顔部が枠で構成される画像を第２の画像データとして記憶する記憶手段と、前記第２の画像データの枠内のデータを前記第１の画像データに置き換えることにより第３の画像データを作成する制御手段と、前記第３の画像データが示す画像を印刷するプリンタと、前記第３の画像データが示す画像を逐次表示する表示手段とを具備することを特徴とする。」（段落【０００８】）
（ウ）「図１は、この実施例の構成および構造を示す側面図であり、この図の１は被撮影者１００が座るベンチ、２はベンチ１に座った被撮影者１００の主に顔面部の映像を受像するビデオカメラ、３は各種処理を行うコンピュータ、４は画像を表示するＣＲＴ（ディスプレイ）、５はビデオカメラ２の受像に影響を与えずにＣＲＴ４の表示映像を被撮影者に対して反射するハーフミラー、６はビデオカメラ２の位置調整などを行う操作部、７は映像をカラー印刷するプリンタ、７ａはプリンタ７から出力される印刷結果、８は撮影用の照明装置、９は室内照明、１１は投入される貨幣を識別し、収納する料金ボックスである。この料金ボックス１１は必要により設置されるものである。
また、１０はボックスであり、上述した全構成要素を収容する。」（段落【００２０】ないし【００２１】、第1，７，８図）
（エ）「図２は上記コンピュータ３の構成を示すブロック図であり、この図において、２０はコンピュータ３の各部の制御およびデータ処理を行うＣＰＵ、２１はＣＰＵ２０の制御プログラム（図３参照）などが記憶されたＲＯＭ、２２はＣＰＵ２０の作業領域として使用されるＲＡＭ、２３は複数種類の背景画像がデータとして複数記憶されているＨＤＤ（ハードディスク装置）、２４はコンピュータ３の外部とデータのやり取りを行うＦＤＤ（フロッピーディスク装置）である。
また、２５は画像データを記憶するＶＲＡＭであり、ビデオカメラ２から供給される画像データを一時的に記憶する受像領域と、ＣＰＵ２０の処理結果である画像データ（つまり、ＣＲＴ４へ供給される画像データ）を記憶する表示領域と、印刷のための画像データを記憶する印刷領域とを有する。（中略）
また、上述したＲＯＭ２１、ＲＡＭ２２、ＨＤＤ２３、ＦＤＤ２４、ＶＲＡＭ２５，周辺機器Ｉ／Ｆ２６は、バス２７を介してＣＰＵ２０と接続されている。さらに、バス２７はプリンタ７とも接続され、ＣＰＵ２０からの印刷情報がバス２７を介してプリンタ７へ供給される。」（段落【００２２】ないし【００２４】、第２，３図）
（オ）「次に、図６はＣＲＴ４（図１）の表示例であり、以下この図および図３に示すフローチャートに基づいて、本実施例の動作説明を行う。
まず、図３のステップＳＰ１において、ＣＲＴ４へ図６（ａ）に示すような案内表示がなされる。被撮影者は、この案内に従って料金ボックス１１へ所定額の貨幣を投入する。ステップＳＰ２では、この入金額を調べ、正規の入金がなされた場合には次のステップＳＰ３へ進む。
ステップＳＰ３では、図６（ｂ）に示すような背景画選択画面がＣＲＴ４へ表示される。この選択画面には、四角の枠で囲まれた風景、人物などの背景画が複数表示され、それらの他にキャンセル用の枠が表示される。また、これらの背景画の１つは網掛け表示（枠の赤色表示などの方法でもよい）により、他のものと識別可能な状態で表示されており、この表示のなされた枠が現在の選択対象とされる背景画を示す。
被撮影者は、ベンチ１に座った状態でハーフミラー５に映し出される選択画面を見ながら、ジョイスティックレバー６ａ（図５）を操作し、選択する背景画を好みの背景画に切り替えて、確認スイッチ６ｃ（図５）を押し選択を確定する。そして、ステップＳＰ５において、最終的な背景画が決定されたか否かが調べられ、決定された場合には次のステップＳＰ６へ進みむ。
決定されない場合、つまり選択された背景画が最終的な背景画でない場合には、ステップＳＰ３へ戻り、ステップＳＰ４で選択された背景画に関係する複数の背景画が選択画面として表示される。この選択画面には、例えば、前回の選択（ステップＳＰ４）により選ばれた背景画の同一地点の季節ごとの風景や、異なる角度から見た風景、登場人物が異なる風景などが表示される。
被撮影者は、この選択画面においてさらに選択を行い（ステップＳＰ４）、最終的な背景画を決定する（ステップＳＰ５「Ｙｅｓ」）。ただし、以上の選択において、キャンセルの枠が選択および確定された場合には、ステップＳＰ４でなされた選択を無効とし、１つ前の選択画面を表示させる。」（段落【００２８】ないし【００３３】、図３、６）
（カ）「ステップＳＰ６では、図６（ｄ）に示すように、決定された背景画、人物とその顔枠（図中網掛け）などをＣＲＴ４に表示させる。このとき、特徴的な服装や髪型の人物が少なくとも一人表示され、このうちの一人は顔枠を有している。また、この顔枠には、ビデオカメラ２によって受像された被撮影者の顔部の画像が表示される。
つまり、ＣＰＵ２０（図２参照）は、選択された背景画の画像データをＨＤＤ２３からＶＲＡＭ２５の表示領域に転送するとともに、その顔枠部の領域へＶＲＡＭの受像領域に記憶されたビデオカメラ２からの画像データを転送する。これにより、顔枠部のみに被撮影者の顔部の映像が表示される。なお、ＶＲＡＭ２５の顔枠部の領域へのデータ転送は逐次行われる。」（段落【００３４】ないし【００３５】、図２、３、６）
（キ）「また、このとき、通常点灯している室内照明９（図１参照）が消され、照明装置８が点灯する。被撮影者は選択した背景画に対応して、この照明装置の色、光度を調整することができる。
被撮影者は、さらに、上述したハーフミラー５に映し出されるＣＲＴ４の表示を見つつ、顔枠とその顔枠内に表示される自分の顔の位置およびサイズが一致するように、ジョイスティックレバー６ａ（図５参照）および映像ズーミングレバー６ｂを操作し、調整する（ステップＳＰ７）。また、好みにより被撮影者を斜めから見た顔画像を映すこともでき、例えばジョイスティックレバー６ａを右側に倒すと、ビデオカメラ２（図４参照）が被撮影者１００を中心として右方向に移動する。なお、この場合でも、被撮影者は移動することなく、ハーフミラー５を正視しつつ操作を行うことができる。
そして、ステップＳＰ８において操作終了か否か、つまり確認スイッチ６ｃが押されたか否かを調べ、このスイッチが押された場合には次のステップＳＰ９へ進み、押されない場合には上記ステップＳＰ７の処理を繰り返す。
ステップＳＰ９では、ＶＲＡＭ２５（図２）の表示領域に記憶された画像データを印刷領域に転送するとともに、図６（ｆ）に示すような案内画面をＣＲＴ４に表示する。そして、ステップＳＰ１０において、ＣＰＵ２０からプリンタ７へ印刷指示が出力され、プリンタ７は上記印刷領域に記憶された画像データに基づいて印刷を行う。この印刷結果７ａ（図１参照）は、被撮影者１００へ出力され、全処理を終了する。」（段落【００３６】ないし【００３９】、第１，２，３，６図）
（ク）「また、管理者は、ＦＤＤ２４（図２参照）を介して上述したＨＤＤ２３に記憶される背景画像データを追加したり、更新したりすることができる。また、背景画像データの追加／更新はモデム（図示略）によって電話回線を介して行うこともできる。」（段落【００４１】、第２，３図）
　　
（３）対比・判断
ア　本願補正発明と刊行物１に記載された発明（以下、「刊行物発明」という）との対比
　本願補正発明と刊行物発明を対比すると、
（ア）上記２（１）（ア）ないし（エ）によれば、刊行物発明の「ビデオカメラ」、「記憶手段」、「表示手段（ＣＲＴ（ディスプレイ））」、「印刷手段（プリンタ）」、「ボックス」は、それぞれ、本願補正発明の「カメラ」、「記憶装置」、「ディスプレー」、「プリンタ」、「ハウジング」に相当するものといえ、刊行物発明は「背景画」であるのに対し本願補正発明は「フレーム絵柄」であるものの、いずれも画像といえるものであるから、刊行物発明と本願補正発明とは、「被写体を撮影するカメラと、電子データとして予め記憶された画像とを記憶した記憶装置と、前記カメラで撮影した映像と前記画像とを合成した映像を表示するディスプレーと、前記合成した映像を印刷するプリンタとをハウジングに備え」る点で一致している。
　上記２（２）（エ）によれば、刊行物発明のＲＯＭは、ＣＰＵ２０の図3の如き処理をする制御プログラムなどが記憶されたものであるのでシステムＲＯＭといえ、上記２（２）（オ）ないし（キ）によれば、刊行物発明は、そのプログラムによって、被撮影者（本願補正発明の「使用者」に相当）がオペレータなしでディスプレーの案内画面を見ながら自ら写真撮影を行う画像印刷装置（本願補正発明の「フォトブース」に相当）における写真撮影方法といえるから、刊行物発明と本願補正発明とは、「システムＲＯＭのプログラムによって、使用者がディスプレーの案内画面を見ながらオペレータなしで、写真撮影を行うような自立型フォトブースにおける写真撮影方法」である点で一致している。
　上記２（２）（エ）（オ）によれば、刊行物発明は、正規の入金がなされた場合には、記憶装置に記憶された背景画の選択画面がディスプレイ（ＣＲＴ）に表示されるステップを有し、選択する背景画を選択するステップを有するものといえ、また、選択が決定されない場合つまり選択された背景画が最終的な背景画でない場合には、前回の選択により選ばれた背景画の同一地点の季節ごとの風景などが表示されるので、上記前回の選択による背景画はこれら背景画を代表しているものといえ、刊行物発明の記憶装置は交換可能とはいえないものの、刊行物発明と本願補正発明とは、「所定の金銭の投入を条件として、前記記憶装置に記憶された複数の代表画像から生成される選択画面を前記ディスプレーに表示するステップ」「前記選択画面を見ながら所望の画像を選択させるステップ」を有する点で一致している。
　上記２（２）（イ）（カ）によれば、刊行物発明は、ＶＲＡＭの表示領域に転送された画像の顔枠部のみに被撮影者の顔部の映像を合成してディスプレーに表示するステップを有し、合成画像をプリントするステップを有しているといえるので、刊行物発明と本願補正発明とは、「選択された画像と前記カメラで撮影した被写体の映像とを合成した合成映像を前記ディスプレーに表示するステップ」「前記合成映像を前記プリンタにより被印刷物に印刷するステップ」を有する点で一致している。
　上記２（２）（ク）によれば、刊行物発明は、ＦＤＤを介してＨＤＤに記憶される画像（背景画像データ）を追加、更新できるものであり、この場合にシステムＲＯＭを交換しているわけではない。してみれば、刊行物発明と本願補正発明とは、「前記システムＲＯＭの交換なしに、前記画像を交換可能とすることを特徴とするフォトブースにおける写真撮影方法」である点で一致している。
（イ）したがって、両者は「被写体を撮影するカメラと、電子データとして予め記憶された画像とを記憶した記憶装置と、前記カメラで撮影した映像と前記画像とを合成した映像を表示するディスプレーと、前記合成した映像を印刷するプリンタとをハウジングに備え、システムＲＯＭのプログラムによって、使用者がディスプレーの案内画面を見ながらオペレータなしで、写真撮影を行うような自立型フォトブースにおける写真撮影方法であって、所定の金銭の投入を条件として、前記記憶装置に記憶された複数の代表画像から生成される選択画面を前記ディスプレーに表示するステップと、前記選択画面を見ながら所望の画像を選択させるステップと、選択された画像と前記カメラで撮影した被写体の映像とを合成した合成映像を前記ディスプレーに表示するステップと、前記合成映像を前記プリンタにより被印刷物に印刷するステップとからなリ、前記システムＲＯＭの交換なしに、前記画像を交換可能とすることを特徴とするフォトブースにおける写真撮影方法。」である点で一致し、次の点で一応相違しているものと認められる。
ａ　画像について、本願補正発明は、「フレーム絵柄」であるのに対し、刊行物発明は「背景画」である点、
ｂ　本願補正発明は、「ディスプレーにデモンストレーション画面を表示するステップ」を有するものであるのに対し、刊行物発明は、上記２（２）（オ）によれば、案内画面を表示するステップを有するものである点、
ｃ　画像の交換を、本願補正発明は、「交換可能な記憶装置を交換することによって」行うものであるのに対し、刊行物発明は、上記２（２）（ク）によればＦＤＤを介して記憶装置（ＨＤＤ）に記憶される背景画像データを追加したり、更新したりするものである点。
　　
イ　相違点についての検討
　相違点ａについて
　上記２（２）（オ）（カ）によれば、刊行物発明は、選択画面において、風景、人物などの背景画が複数表示され、ＣＰＵは、選択された背景画の画像データをＨＤＤからＶＲＡＭの表示領域に転送するとともに、その顔枠部の領域へＶＲＡＭの受像領域に記憶されたビデオカメラからの画像データを転送して、決定された背景画、人物とその顔枠（図中網掛け）などをＣＲＴ４に表示させ、顔枠には、ビデオカメラによって受像された被撮影者の顔部の画像が表示されるものである。
　してみると、刊行物発明と本願補正発明とは、画像の枠に使用者（被撮影者）の画像を合成することにおいて格別の相違はなく、フレーム絵柄自体も例えば登録実用新案第３０１４７３３号公報にあるように常套のものといえるから、記録された画像をフレーム絵柄とすることは当業者が容易に推考しうる程度のことといえる。
　相違点ｂについて
　ディスプレーにデモンストレーション画面を表示することは、例えば登録実用新案公報第３０３４０１２号、特開平７−１６０９４５号公報、特開平６−１６５８７４号公報にあるように常套技術にすぎず、適宜採用しうる程度のものといえる。
　相違点ｃについて
　刊行物発明においても、記憶装置の画像データはＦＤＤからのデータにより交換されているものであるから、そのようなデータの交換に替えて記憶装置自体を交換することも、たとえば特開昭６４−２３６８９号公報にあるように常套技術にすぎず、適宜採用しうる程度のものといえる。
　そして、これら相違点を総合的に考慮しても当業者が推考し難い格別のものであるとすることはできず、また本願補正発明の効果についてみても、上記構成の採用に伴って当然に予測される程度のものにすぎず、格別顕著なものがあるともいえない。
　したがって、本願補正発明は、刊行物１に記載された発明および常套技術に基づいて、当業者が容易に発明をすることができたものであるから、特許法第２９条第２項の規定により特許出願の際独立して特許を受けることができないものである。
　
（４）むすび
　以上のとおり、本件補正は、平成１５年改正前特許法第１７条の２第５項において準用する同法第１２６条第４項の規定に違反するものであり、特許法第１５９条第１項において読み替えて準用する特許法第５３条第１項の規定により却下されるべきものである。
　
３．本願発明について
　平成１５年５月１６日付けの手続補正は上記のとおり却下されたので、本願の請求項１ないし４に係る発明は、平成１４年８月２６日付けの手続補正により補正された明細書の特許請求の範囲の請求項１ないし４に記載された事項により特定されるものであるところ、その請求項１に記載された発明（以下、同項記載の発明を「本願発明」という）は、以下のとおりのものである。
「【請求項１】　被写体を撮影するカメラと、電子データとして予め記憶されたフレーム絵柄とを記憶した記憶装置と、前記カメラで撮影した映像と前記フレーム絵柄とを合成した映像を表示するディスプレーと、前記合成した映像を印刷するプリンタとをハウジングに備えてなる、使用者がディスプレーの案内画面を見ながらオペレータなしで、写真撮影を行うような自立型フォトブースにおける写真撮影方法であって、
　前記ディスプレーにデモンストレーション画面を表示するステップと、
　所定の金銭の投入を条件として、交換可能な前記記憶装置に記憶された複数の代表フレーム絵柄から生成される選択画面を前記ディスプレーに表示するステップと、
　前記選択画面を見ながら所望のフレーム絵柄を選択するステップと、
　選択されたフレーム絵柄と前記カメラで撮影した被写体の映像とを合成した合成映像を前記ディスプレーに表示するステップと、
　前記合成映像を前記プリンタにより被印刷物に印刷するステップとからなるフォトブースにおける写真撮影方法。」
　
（１）刊行物
　原査定の拒絶の理由に引用された刊行物、および、その記載事項は、前記「２．（２）」に記載したとおりである。
　
（２）対比・判断
　本願発明は、前記２．で検討した本願補正発明から「写真撮影方法」の限定事項である「システムＲＯＭのプログラムによって」「前記システムＲＯＭの交換なしに、前記記憶装置を交換することによって前記フレーム絵柄を交換可能とすることを特徴とする」との構成を省いたものである。
　そうすると、本願発明の構成要件を全て含み、さらに他の構成要件を付加したものに相当する本願補正発明が、前記「２．（３）」に記載したとおり、刊行物１および常套技術に基づいて、当業者が容易に発明をすることができたものであるから、本願発明も、同様の理由により、刊行物１および常套技術に基づいて、当業者が容易に発明をすることができたものである。
　
（３）むすび
　したがって、本願発明は、刊行物１に記載された発明および常套技術に基いて当業者が容易に発明をすることができたものであるので、他の請求項に係る発明について検討するまでもなく、本願は、特許法第２９条第２項の規定により特許を受けることができない。
　よって、結論のとおり審決する。